(57)【要約】【課題】簡単な操作で順送りや逆送り（再生位置の早送り／巻き戻しや受信周波数の増減）を正確な位置で停止することができる情報機器およびその操作方法、操作プログラムを提供すること。【解決手段】車載装置１は、情報の順送りまたは逆送りを指示する特定操作キーが押下された状態を維持している間、情報の順送りまたは逆送りを行う情報送り処理部５３と、特定操作キーが押下された状態を維持しながら、利用者がタッチパネル２２上の任意位置を押下し、かつ、この押下位置が移動したことを検出する押下位置移動判定部５４と、押下位置移動判定部５４によって検出された押下位置の移動状態に応じて、情報送り処理部５３による情報の順送りまたは逆送りの方法を変更する情報送り変更部５５とを備える。【選択図】図１
2015230574.tif 000002
【特許請求の範囲】
【請求項１】
利用者の操作指示に応じて情報の順送りまたは逆送りが行われる情報機器であって、
前記情報の順送りまたは逆送りを指示する所定の操作キーを有する操作手段と、
利用者によって指し示された位置を検出するタッチパネルと、
前記操作キーが押下された状態を維持している間、前記情報の順送りまたは逆送りを行う情報送り手段と、
前記操作キーが押下された状態を維持しながら、利用者が前記タッチパネル上の任意位置を押下し、かつ、この押下位置が移動したことを検出する押下位置移動判定手段と、
前記押下位置移動判定手段によって検出された前記押下位置の移動状態に応じて、前記情報送り手段による前記情報の順送りまたは逆送りの方法を変更する情報送り変更手段と、
を備えることを特徴とする情報機器。
【請求項２】
請求項１において、
前記情報送り変更手段は、前記押下位置の移動量に比例して、前記情報送り手段による前記情報の順送りまたは逆送りの送り量を設定することを特徴とする情報機器。
【請求項３】
請求項２において、
前記情報送り変更手段は、前記押下位置移動判定手段によって前記押下位置を検出したときに前記情報送り手段による前記情報の順送りまたは逆送りを停止し、その後の前記押下位置の移動量に応じて前記情報送り手段による前記情報の送り量を設定することを特徴とする情報機器。
【請求項４】
請求項３において、
前記情報送り変更手段は、前記押下位置が初期位置を基準にして右方向あるいは上方向に移動したときに前記情報の順送りの送り量を設定し、前記押下位置が初期位置を基準にして左方向あるいは下方向に移動したときに前記情報の順送りの送り量を設定することを特徴とする情報機器。
【請求項５】
請求項１〜４のいずれか一項において、
前記情報送り手段による順送りまたは逆送りの対象となる前記情報を表示する表示手段をさらに備えることを特徴とする情報機器。
【請求項６】
請求項１〜５のいずれか一項において、
前記操作手段は、前記タッチパネルを用いて実現されることを特徴とする情報機器。
【請求項７】
請求項１〜６のいずれか一項において、
車両に搭載されていることを特徴とする情報機器。
【請求項８】
請求項１〜７のいずれか一項において、
前記情報送り手段によって順送りまたは逆送りの対象となる前記情報は、ラジオ受信機における放送波を受信する周波数であることを特徴とする情報機器。
【請求項９】
請求項１〜７のいずれか一項において、
前記情報送り手段によって順送りまたは逆送りの対象となる前記情報は、オーディオおよび／または映像再生装置における再生位置であることを特徴とする情報機器。
【請求項１０】
利用者の操作指示に応じて情報の順送りまたは逆送りが行われる情報機器の操作方法であって、
前記情報の順送りまたは逆送りを指示する所定の操作キーが押下された状態を維持している間、前記情報の順送りまたは逆送りを情報送り手段によって行う情報送りステップと、
前記操作キーが押下された状態を維持しながら、利用者がタッチパネル上の位置を押下し、かつ、この押下位置が移動したことを押下位置移動判定手段によって検出する押下位置移動判定ステップと、
前記押下位置移動判定手段によって検出された前記押下位置の移動状態に応じて、前記情報送り手段による前記情報の順送りまたは逆送りの方法を情報送り変更手段によって変更する情報送り変更ステップと、
を有することを特徴とする情報機器の操作方法。
【請求項１１】
コンピュータを、
情報の順送りまたは逆送りを指示する所定の操作キーが押下された状態を維持している間、前記情報の順送りまたは逆送りを行う情報送り手段と、
前記操作キーが押下された状態を維持しながら、利用者がタッチパネル上の位置を押下し、かつ、この押下位置が移動したことを検出する押下位置移動判定手段と、
前記押下位置移動判定手段によって検出された前記押下位置の移動状態に応じて、前記情報送り手段による前記情報の順送りまたは逆送りの方法を変更する情報送り変更手段と、
して機能させるための情報機器の操作プログラム。
【発明の詳細な説明】
【技術分野】
【０００１】
本発明は、タッチパネルを用いて利用者が操作指示を行う情報機器およびその操作方法、操作プログラムに関する。
【背景技術】
【０００２】
従来から、各種の機能に対する利用者による操作指示をタッチパネルを用いて行うようにした情報機器が知られている（例えば、特許文献１参照。）。この特許文献１に開示された情報機器としての無線通信端末では、媒体再生アプリケーションに対する早送りや巻き戻しの指示をタッチパネルを用いて行うことができる。
【先行技術文献】
【特許文献】
【０００３】
【特許文献１】特開２０１１−５１２５８４号公報
【発明の概要】
【発明が解決しようとする課題】
【０００４】
媒体再生アプリケーションに対する早送りや巻き戻しの指示をタッチパネルを用いて行う場合に、一般には早送りボタンや巻き戻しボタンを表示した状態で、利用者にいずれかのボタンを選択させることが考えられる。例えば、早送りボタンを長押しすることにより、再生位置を連続的に進めることができ、短く１回押すことにより、再生位置を最小の増減ステップ分だけ進めることができる。反対に、巻き戻しボタンを長押しすることにより、再生位置を連続的に戻すことができ、短く１回押すことにより、再生位置を最小の増減ステップ分だけ戻すことができる。
【０００５】
ところで、早送りボタンや巻き戻しボタンを長押しして早送りや巻き戻しを行う場合に、再生位置を正確に所望位置にあわせることは難しい。このため、これらのボタンの長押しによって概略的な再生位置を設定し、その後、早送りボタンや巻き戻しボタンを短く複数回押して最終的な再生位置の微調整を行う必要があり、正確な位置で停止するために煩雑な操作が必要になるという問題があった。このような操作方法は、ラジオ受信機において受信周波数を手動操作で一方向に変化させて所望の放送局を探す場合も同じであり、正確に受信周波数をあわせるためには煩雑な操作が必要になる。また、これらの問題は、タッチパネルを用いて操作する場合に限らず、機械的な押しボタンを押下して早送りや巻き戻しなどを行う場合についても同じである。
【０００６】
本発明は、このような点に鑑みて創作されたものであり、その目的は、簡単な操作で順送りや逆送り（再生位置の早送り／巻き戻しや受信周波数の増減）を正確な位置で停止することができる情報機器およびその操作方法、操作プログラムを提供することにある。
【課題を解決するための手段】
【０００７】
上述した課題を解決するために、本発明の情報機器は、利用者の操作指示に応じて情報の順送りまたは逆送りが行われる情報機器であって、情報の順送りまたは逆送りを指示する所定の操作キーを有する操作手段と、利用者によって指し示された位置を検出するタッチパネルと、操作キーが押下された状態を維持している間、情報の順送りまたは逆送りを行う情報送り手段と、操作キーが押下された状態を維持しながら、利用者がタッチパネル上の任意位置を押下し、かつ、この押下位置が移動したことを検出する押下位置移動判定手段と、押下位置移動判定手段によって検出された押下位置の移動状態に応じて、情報送り手段による情報の順送りまたは逆送りの方法を変更する情報送り変更手段とを備えている。特に、上述した情報送り変更手段は、押下位置の移動量に比例して、情報送り手段による情報の順送りまたは逆送りの送り量を設定する。
【０００８】
また、本発明の情報機器の操作方法は、利用者の操作指示に応じて情報の順送りまたは逆送りが行われる情報機器の操作方法であって、情報の順送りまたは逆送りを指示する所定の操作キーが押下された状態を維持している間、情報の順送りまたは逆送りを情報送り手段によって行う情報送りステップと、操作キーが押下された状態を維持しながら、利用者がタッチパネル上の位置を押下し、かつ、この押下位置が移動したことを押下位置移動判定手段によって検出する押下位置移動判定ステップと、押下位置移動判定手段によって検出された押下位置の移動状態に応じて、情報送り手段による情報の順送りまたは逆送りの方法を情報送り変更手段によって変更する情報送り変更ステップとを有する。
【０００９】
また、本発明の情報機器の操作プログラムは、コンピュータを、情報の順送りまたは逆送りを指示する所定の操作キーが押下された状態を維持している間、情報の順送りまたは逆送りを行う情報送り手段と、操作キーが押下された状態を維持しながら、利用者がタッチパネル上の位置を押下し、かつ、この押下位置が移動したことを検出する押下位置移動判定手段と、押下位置移動判定手段によって検出された押下位置の移動状態に応じて、情報送り手段による情報の順送りまたは逆送りの方法を変更する情報送り変更手段として機能させる。
【００１０】
利用者の操作指示に応じて情報の順送りまたは逆送りを行う際に、利用者は、タッチパネル上の任意位置を押下し、この押下位置を移動させるという簡単な操作により、情報の順送りや逆送りの方法を変更（具体的には、送り量を設定）することができ、情報の順送りや逆送りを正確な位置で停止することが可能となる。
【００１１】
また、上述した情報送り変更手段は、押下位置移動判定手段によって押下位置を検出したときに情報送り手段による情報の順送りまたは逆送りを停止し、その後の押下位置の移動量に応じて情報送り手段による情報の送り量を設定することが望ましい。情報の順送りまたは逆送りを一旦停止し、その後の送り量を設定することにより、正確な位置での停止がさらに容易となる。
【００１２】
また、上述した情報送り変更手段は、押下位置が初期位置を基準にして右方向あるいは上方向に移動したときに情報の順送りの送り量を設定し、押下位置が初期位置を基準にして左方向あるいは下方向に移動したときに情報の順送りの送り量を設定することが望ましい。これにより、押下位置を移動させる方向を変えることにより、情報の順送りあるいは逆送りの量を任意に調整することが可能となる。
【００１３】
また、上述した情報送り手段による順送りまたは逆送りの対象となる情報を表示する表示手段をさらに備えることが望ましい。これにより、情報の送り量を目視で確認しながら調整することが可能になり、順送りや約送りを正確な位置でさらに容易に停止することができる。
【００１４】
また、上述した操作手段は、タッチパネルを用いて実現されることが望ましい。これにより、ハードウエアによる特別なキーを設ける必要がなく、タッチパネルのマルチタッチ検出を利用して安価な構成とすることができる。
【００１５】
また、本発明の情報機器は、車両に搭載されていることが望ましい。車両に搭載された情報機器に本発明を適用することにより、簡単な操作で情報の順送りや逆送りを正確な位置で停止することができ、狭く、かつ、拘束された姿勢での操作性を向上させることができる。
【００１６】
また、上述した情報送り手段によって順送りまたは逆送りの対象となる情報は、ラジオ受信機における放送波を受信する周波数であることが望ましい。これにより、ラジオ受信機の受信周波数を手動で合わせる際の操作性を向上させることができる。
【００１７】
また、上述した情報送り手段によって順送りまたは逆送りの対象となる情報は、オーディオおよび／または映像再生装置における再生位置であることが望ましい。これにより、オーディオや映像の再生装置における再生位置を早送りや巻き戻しする際の操作性を向上させることができる。
【図面の簡単な説明】
【００１８】
【図１】一実施形態の車載装置の構成を示す図である。
【図２】ラジオ操作処理部によって作成された操作画面の表示例を示す図である。
【図３】ＡＶ操作処理部によって作成された操作画面の表示例を示す図である。
【図４】図２に示した操作画面表示中にＦＭ放送の受信周波数を手動操作により順送りあるいは逆送りする動作手順を示す流れ図である。
【図５】手動アップキーが長押しされた具体例を示す図である。
【図６】手動アップキーを長押しした状態を維持しながら別の位置が押下された具体例を示す図である。
【図７】押下位置を移動させて受信周波数の変更する具体例を示す図である。
【発明を実施するための形態】
【００１９】
以下、本発明の情報機器を適用した一実施形態の車載装置について、図面を参照しながら説明する。図１は、一実施形態の車載装置の構成を示す図である。図１に示すように、車載装置１は、ナビゲーション処理部１０、ＴＶチューナ処理部１４、ラジオチューナ処理部１６、ＡＶ処理部１８、操作部２０、タッチパネル２２、入力制御部２４、表示処理部３０、表示装置３２、デジタル−アナログ変換器（Ｄ／Ａ）４０、スピーカ４２、制御部５０、ハードディスク装置（ＨＤＤ）７０を備えている。
【００２０】
ナビゲーション処理部１０は、ハードディスク装置７０に記憶されている地図データを用いて車載装置１が搭載された車両の走行を案内するナビゲーション動作を行う。自車位置を検出するＧＰＳ装置１２とともに用いられ、車両の走行を案内するナビゲーション動作には、地図表示、経路探索・誘導のほかに周辺施設やＰＯＩ（Point Of Interest）を検索して表示する動作などが含まれる。なお、自車位置検出は、ＧＰＳ１２の他にジャイロセンサや車速センサ等の自律航法センサを組み合わせて用いるようにしてもよい。
【００２１】
ＴＶチューナ処理部１４は、地上デジタル放送等の放送信号を受信し、映像および音声を再生する処理を行う。ラジオチューナ処理部１６は、ＡＭラジオ放送やＦＭラジオ放送の放送信号を受信し、音声を再生する処理を行う。ＡＶ処理部１８は、圧縮されてハードディスク装置７０に記憶されているオーディオデータ（音楽データ）や映像データを読み出して再生する処理を行う。なお、オーディオデータや映像データは、ディスク読取装置（図示せず）を用いてＣＤやＤＶＤから読み取ったものを用いるようにしてもよい。また、再生対象となるデータをオーディオデータのみあるいは映像データのみに限定してもよい。
【００２２】
操作部２０は、利用者による各種操作を受け付けるためのものであり、各種のスイッチや操作つまみ等が備わっている。タッチパネル２２は、表示装置３２の画面に重ねて配置されており、利用者の指が接触した画面上の位置を検出する。このタッチパネル２２としては、例えば静電容量式のタッチパネルが用いられるが、その他の方式（抵抗膜方式等）のタッチパネルを用いるようにしてもよい。入力制御部２４は、操作部２０およびタッチパネル２２の操作状態を監視し、利用者による入力内容を検出する。
【００２３】
表示処理部３０は、各種の操作画面等を表示する映像信号を出力して表示装置３２にこれらの画面を表示するとともに、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００２４】
デジタル−アナログ変換器４０は、ナビゲーション処理部１０、ＴＶチューナ処理部１４、ラジオチューナ処理部１６、ＡＶ処理部１８のそれぞれの処理によって生成される音声や音楽等のオーディオデータをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００２５】
制御部５０は、車載装置１の全体を制御するためのものであり、ＲＯＭやＲＡＭなどに格納された所定のプログラムをＣＰＵで実行することにより実現される。また、制御部５０は、ラジオチューナ処理部１６とＡＶ処理部１８のそれぞれに対応する操作画面を表示したり、これらの操作画面を用いて手動で情報の順送りや逆送りを行う際の処理を行うために、ラジオ操作処理部５１、ＡＶ操作処理部５２、情報送り処理部５３、押下位置移動判定部５４、情報送り変更部５５を有する。
【００２６】
ラジオ操作処理部５１は、表示装置３２に表示するラジオ受信処理に関する操作画面を作成するとともに、この操作画面を用いて行われる利用者の指示に応じた信号をラジオチューナ処理部１６に入力する。
【００２７】
ＡＶ操作処理部５２は、表示装置３２に表示するＡＶ処理部１８による再生処理に関する操作画面を作成するとともに、この操作画面を用いて行われる利用者の指示に応じた信号をＡＶ処理部１８に入力する。
【００２８】
ラジオ操作処理部５１あるいはＡＶ操作処理部５２によって作成された操作画面には、情報の順送りまたは逆送りを指示する所定の操作キーが含まれており、この操作キーを用いた情報の順送りまたは逆送りに関する処理が情報送り処理部５３、押下位置移動判定部５４、情報送り変更部５５によって行われる。
【００２９】
図２は、ラジオ操作処理部５１によって作成された操作画面の表示例を示す図である。この操作画面には、現在受信中のＦＭ放送の受信周波数を示す受信周波数表示領域Ａ１と、手動で受信周波数を高い側に遷移させる手動アップキーＡ２と、手動で受信周波数の低い側に遷移させる手動ダウンキーＡ３とが含まれる。手動アップキーＡ２が情報の順送りを指示する操作キーに、手動ダウンキーＡ３が情報の逆送りを指示する操作キーに対応する。利用者は、手動アップキーＡ２や手動ダウンキーＡ３を１回押下することにより、受信数端数を最小のステップ数分高い側あるいは低い側に遷移させることができる。これら手動アップキーＡ２や手動ダウンキーＡ３の押下状態はタッチパネル２２によって検出することができる。
【００３０】
図３は、ＡＶ操作処理部５２によって作成された操作画面の表示例を示す図である。この操作画面には、再生中のアルバム名およびタイトルを示す再生内容表示領域Ｂ１と、再生中のタイトルの再生位置を示す再生バーＢ２と、再生中のタイトルの再生位置を進ませる早送りキーＢ３と、再生中のタイトルの再生位置を戻す巻き戻しキーＢ４とが含まれる。早送りキーＢ３が情報の順送りを指示する操作キーに、巻き戻しキーＢ４が情報の逆送りを指示する操作キーに対応する。利用者は、早送りキーＢ３や巻き戻しキーＢ４を１回押下することにより、再生位置を最小のステップ数分早送りあるいは巻き戻すことができる。これら早送りキーＢ３や巻き戻しキーＢ４の押下状態はタッチパネル２２によって検出することができる。
【００３１】
情報送り処理部５３は、順送りあるいは逆送りを指示する操作キー（図２に示す手動アップキーＡ２や手動ダウンキーＡ３や、図３に示す早送りキーＢ３や巻き戻しキーＢ４がこの操作キーに対応するが、以下では、必要に応じて、これらの操作キーを「特定操作キー」と称して説明を行う）が押下された状態を維持している間（長押しされている間）、情報の順送りまたは逆送りを行う。
【００３２】
例えば、図２に示す操作画面が表示された状態で、利用者が手動アップキーＡ２や手動ダウンキーＡ３の押下状態を継続（長押し）すると、情報送り処理部５３は、ラジオチューナ部１６におけるＦＭ放送の受信周波数を高い側あるいは低い側に連続的かつ一定速度で（あるいは押下時間に比例して速度が増すように）遷移させる。
【００３３】
また、図３に示す操作画面が表示された状態で、利用者が早送りキーＢ３や巻き戻しキーＢ４の押下状態を継続（長押し）すると、情報送り処理部５３は、ＡＶ処理部１８における早送りや巻き戻しを連続的かつ一定速度で（あるいは押下時間に比例して速度が増すように）行う。
【００３４】
押下位置移動判定部５４は、特定操作キーが押下された状態を維持しながら、利用者によってタッチパネル２２上の任意位置が押下されたことや、この押下位置が移動したことを検出する。
【００３５】
情報送り変更部５５は、押下位置移動判定部５４によって検出された押下位置の移動状態に応じて、情報送り処理部５３による情報の順送りまたは逆送りの方法を変更する。具体的には、情報送り変更部５５は、押下位置の移動量に比例して、情報送り処理部５３による情報の順送りまたは逆送りの送り量を設定する。さらに具体的には、情報送り変更部５５は、押下位置移動判定部５４によって押下位置を検出したときに情報送り処理部５３による情報の順送りまたは逆送りを一旦停止し、その後の押下位置の移動量に応じて情報送り処理部５３による情報の送り量を設定する。
【００３６】
また、情報送り変更部５５は、押下位置が初期位置を基準にして右方向あるいは上方向に移動したときに情報の順送りの送り量を設定し、押下位置が初期位置を基準にして左方向あるいは下方向に移動したときに情報の順送りの送り量を設定する。
【００３７】
上述した操作部２０、タッチパネル２２、表示装置３２が操作手段に、情報送り処理部５３が情報送り手段に、押下位置移動判定部５４が押下位置移動判定手段に、情報送り変更部５５が情報送り変更手段に、表示装置３２が表示手段にそれぞれ対応する。
【００３８】
本実施形態の車載装置１はこのような構成を有しており、次に、情報の順送りまたは逆送りの方法を変更する手順について説明する。
【００３９】
図４は、図２に示した操作画面表示中にＦＭ放送の受信周波数を手動操作により順送りあるいは逆送りする動作手順を示す流れ図である。
【００４０】
情報送り処理部５３は、特定操作キー（手動アップキーＡ２または手動ダウンキーＡ３）が長押しされたか否かを判定する（ステップ１００）。特定操作キーが長押しされていない場合には否定判断が行われ、この判定が繰り返される。特定操作キーが利用者によって長押しされると、ステップ１００の判定において肯定判断が行われる。
【００４１】
次に、情報送り処理部５３は、長押しされた特定操作キーが手動アップキーＡ２か否かを判定する（ステップ１０２）。手動アップキーＡ２が長押しされた場合には肯定判断が行われる。この場合は、情報送り処理部５３は、ラジオチューナ処理部１６に指示を送って受信周波数を高い側に連続的に遷移させる（ステップ１０４）。
【００４２】
図５は、手動アップキーＡ２が長押しされた具体例を示す図である。図５に示す例では、利用者は、右手の人差し指の先端Ｃ１で手動アップキーＡ２を長押ししており、この状態がタッチパネル２２によって検出される。
【００４３】
また、手動ダウンキーＡ３が長押しされた場合にはステップ１０２の判定において否定判断が行われる。この場合は、情報送り処理部５３は、ラジオチューナ処理部１６に指示を送って受信周波数を低い側に連続的に遷移させる（ステップ１０６）。
【００４４】
また、ステップ１０４あるいは１０６において受信周波数を連続的に遷移させる動作と並行して、押下位置移動判定部５４は、利用者によってタッチパネル２２上の任意位置が押下されたかを判定する（ステップ１０８）。任意位置が押下されない場合（タッチパネル２２によって任意位置の押下が未検出の場合）には否定判断が行われ、ステップ１００に戻って特定操作キーの長押し判定以降が繰り返される。
【００４５】
また、任意位置が押下された場合にはステップ１０８の判定において肯定判断が行われる。次に、情報送り変更部５５は、情報送り処理部５３に指示を送って受信周波数を変更する動作を停止させる（ステップ１１０）。
【００４６】
図６は、手動アップキーＡ２を長押しした状態を維持しながら別の位置が押下された具体例を示す図である。図６に示す例では、利用者は、手動アップキーＡ２を右手人差し指で長押ししながら、親指の先端Ｃ２で別の任意位置を押下しており、この状態がタッチパネル２２によって検出される。
【００４７】
次に、押下位置移動判定部５４は、押下された位置が移動したか否かを判定する（ステップ１１２）。移動していない場合には否定判断が行われ、ステップ１０８に戻って任意位置の押下判定が繰り返される。また、押下位置が移動した場合にはステップ１１２の判定において肯定判断が行われる。
【００４８】
次に、押下位置移動判定部５４は、押下位置の移動量を算出する（ステップ１１４）。また、情報送り変更部５５は、押下位置の移動方向が右側または上側か否かを判定する（ステップ１１６）。移動方向が右側または上側の場合には肯定判断が行われる。この場合は、情報送り変更部５５は、算出された押下位置の移動量に基づいて送り量（受信周波数を変化させる変化量）を決定し、周波数遷移を停止した時点における受信周波数にこの送り量を加算することで受信周波数を高い側に変更する（ステップ１１８）。反対に、移動方向が左側または下側の場合にはステップ１１６の判定において否定判断が行われる。この場合は、情報送り変更部５５は、算出された押下位置の移動量に基づいて送り量を決定し、周波数遷移を停止した時点における受信周波数からこの送り量を減算することで受信周波数を低い側に変更する（ステップ１２０）。これらの受信周波数の変更は、受信周波数表示領域Ａ１（図２）に表示された受信周波数の値を見ながら行われる。その後、ステップ１１２に戻って押下位置の移動判定が繰り返される。
【００４９】
図７は、押下位置を移動させて受信周波数の変更する具体例を示す図である。図７に示すように、押下位置Ｃ２を右方向ｄ１あるいは上方向ｄ２に移動させることにより、その移動量に対応した送り量で受信周波数を高い側に変更することができる。反対に、押下位置Ｃ２を左方向ｄ３あるいは下方向ｄ４に移動させることにより、その移動量に対応した送り量で受信周波数を低い側に変更することができる。
【００５０】
なお、押下位置Ｃ２は、正確に右方向ｄ１、上方向ｄ２、左方向ｄ３、下方向ｄ４のいずれかに沿って移動させる必要はない。例えば、概略的に右方向ｄ１に押下位置Ｃ２を移動させたときに受信周波数を増加させ、概略的に左方向ｄ２に押下位置Ｃ２を移動させたときに受信周波数を減少させるものとすると、押下位置Ｃ２の移動方向が第一象限と第二象限に含まれるときに受信周波数を増加させ、押下位置Ｃ２の移動方向が第三象限と第四象限に含まれるときに受信周波数を減少させればよい。また、概略的に上方向ｄ２に押下位置Ｃ２を移動させたときに受信周波数を増加させ、概略的に下方向ｄ４に押下位置Ｃ２を移動させたときに受信周波数を減少させるものとすると、押下位置Ｃ２の移動方向が第二象限と第三象限に含まれるときに受信周波数を増加させ、押下位置Ｃ２の移動方向が第四象限と第一象限に含まれるときに受信周波数を減少させればよい。
【００５１】
このように、本実施形態の車載装置１では、利用者の操作指示に応じて情報の順送りまたは逆送りを行う際に、利用者は、タッチパネル２２上の任意位置を押下し、この押下位置を移動させるという簡単な操作により、情報の順送りや逆送りの方法を変更（具体的には、送り量を設定）することができ、情報の順送りや逆送りを正確な位置で停止することが可能となる。
【００５２】
また、特定操作キー以外の位置が押下されたときに情報の順送りまたは逆送りを一旦停止し、その後の送り量を設定することにより、正確な位置での停止がさらに容易となる。また、押下位置を移動させる方向を変えることにより、情報の順送りあるいは逆送りの量を任意に調整することが可能となる。情報の送り量を目視で確認しながら調整することが可能になり、順送りや約送りを正確な位置でさらに容易に停止することができる。
【００５３】
また、上述した特定操作キーの検出は、タッチパネル２２を用いて行われるため、ハードウエアによる特別なキーを設ける必要がなく、タッチパネル２２のマルチタッチ検出を利用して安価な構成とすることができる。
【００５４】
また、本発明の情報機器は、車両に搭載されていることが望ましい。車両に搭載された情報機器としての車載装置１に本発明を適用することにより、簡単な操作で情報の順送りや逆送りを正確な位置で停止することができ、狭く、かつ、拘束された姿勢での操作性を向上させることができる。
【００５５】
なお、本発明は上記実施形態に限定されるものではなく、本発明の要旨の範囲内において種々の変形実施が可能である。例えば、上述した実施形態では、図２に示した操作画面を用いて、受信対象となるＦＭ放送の受信周波数を順送り（高い側に変更）または逆送り（低い側に変更）する場合について説明したが、図３に示した操作画面を用いて、オーディオデータ等を再生する際の再生位置を順送り（早送り）または逆送り（巻き戻し）する場合に本発明を適用するようにしてもよい。あるいは、それ以外の操作画面を用いた情報の順送りや逆送りに本発明を適用してもよい。
【００５６】
また、上述した実施形態では、特定操作キーとしての手動アップキーＡ２および手動ダウンキーＡ３（図２）や、早送りキーＢ３および巻き戻しキーＢ４（図３）を表示装置３２に表示し、それらの押下の有無をタッチパネル２２で検出するようにしたが、これらの特定操作キーを操作部２０に含まれるハードウエアキーに割り当てるようにしてもよい。
【００５７】
また、上述した実施形態では、車載装置１に本発明を適用したが、携帯端末装置や卓上あるいはノート型のパーソナルコンピュータなど、タッチパネルを用いたその他の情報機器に本発明を適用してもよい。
【産業上の利用可能性】
【００５８】
上述したように、本発明によれば、利用者の操作指示に応じて情報の順送りまたは逆送りを行う際に、利用者は、タッチパネル上の任意位置を押下し、この押下位置を移動させるという簡単な操作により、情報の順送りや逆送りの方法を変更（具体的には、送り量を設定）することができ、情報の順送りや逆送りを正確な位置で停止することが可能となる。
【符号の説明】
【００５９】
１  車載装置
１６  ラジオチューナ処理部
１８  ＡＶ処理部
２０  操作部
２２  タッチパネル
２４  入力制御部
３０  表示処理部
３２  表示装置
５０  制御部
５１  ラジオ操作処理部
５２  ＡＶ操作処理部
５３  情報送り処理部
５４  押下位置移動判定部
５５  情報送り変更部
【図１】
2015230574.tif 000003
【図２】
2015230574.tif 000004
【図３】
2015230574.tif 000005
【図４】
2015230574.tif 000006
【図５】
2015230574.tif 000007
【図６】
2015230574.tif 000008
【図７】
2015230574.tif 000009